(57)【要約】【課題】エレベータかごに閉じ込められた乗客を検出する方法が提供される。【解決手段】エレベータかご（１）に閉じ込められた乗客を検出する方法は、エレベータコントローラ（２）がエレベータの何らかの障害を検出するとエレベータかご（１）の中の音を収集して、音のレベルを閾値レベルと比較することを含む。方法は、音のレベルが閾値レベルを超えるときに、ヘルプデスク（２６）に自動的に電話をかけて、エレベータかご（１）の内部の写真を撮ることを更に含む。【選択図】図２
2018135216.tif 000002
【特許請求の範囲】
【請求項１】
エレベータの何らかの障害が検出されたときに前記エレベータかごの内部の音を収集することと、
前記音のレベルを閾値レベルと比較することと、
前記音のレベルが前記閾値レベルを超えるときに、前記エレベータかごに閉じ込められた乗客がいると判定することと
を含む、エレベータかごに閉じ込められた乗客を検出するための方法。
【請求項２】
前記音のレベルが前記閾値レベルを超えるときにヘルプデスクに自動的に電話をかけることを更に含む、請求項１に記載の方法。
【請求項３】
前記エレベータかごの内部の写真を撮って前記ヘルプデスクに写真画像を出力することを更に含む、請求項１に記載の方法。
【請求項４】
エレベータかごの移動を制御し、エレベータの障害を検出するエレベータコントローラと、
エレベータかごと前記エレベータから遠隔にあるヘルプデスクの間の通信ネットワークを提供し、前記エレベータコントローラからの障害信号出力を受信する警報ユニットと、
前記エレベータかごの内部の音を収集し、前記音のレベルを閾値レベルと比較して、前記警報ユニットに結果を出力する解析ユニットと
を含む、エレベータシステム。
【請求項５】
前記音のレベルが前記閾値レベルを超えるときに、前記解析ユニットがヘルプデスクに自動的に電話をかける、請求項４に記載のシステム。
【請求項６】
エレベータかごの内部に設けられるカメラを更に含み、前記音のレベルが前記閾値レベルを超えるときに、前記カメラは前記エレベータかごの内部の写真を撮る、請求項４に記載のシステム。
【請求項７】
前記エレベータかごの内部の前記音が収集されるインターホンを更に含む、請求項４に記載のシステム。
【発明の詳細な説明】
【技術分野】
【０００１】
本発明は、一般にエレベータシステムに関し、特にエレベータかごに閉じ込められた乗客を検出する方法に関する。
【背景技術】
【０００２】
エレベータシステムは広く知られており、各種の場所において用いられている。エレベータシステムは、建物の乗降場所の間を移動して建物の異なる階の間で乗客を輸送するエレベータかごを含む。エレベータかごは、ドアの開閉ボタン及び行き先階ボタンなどを含むかごの操作パネルを備えている。これらのボタンとともに、例えば、乗客がエレベータシステムの障害または地震などの災害のためにエレベータかごに閉じ込められたときに、乗客が非常用ボタンを押すことによってヘルプデスクに緊急通報をすることができるように、かごのパネルは非常用ボタン及びインターホンを含む。
【０００３】
しかしながら、従来のエレベータシステムでは、非常停止ボタンは、通常かごのパネルの上部に配置されており、そのため、子供または車椅子を使用する人などの乗客は、非常停止ボタンに手が届くことができない。従って、このような閉じ込められた乗客はヘルプデスクに緊急通報をすることができず、そのため、ヘルプデスクのオペレータは閉じ込められた乗客に気付かない可能性がある。
【発明の概要】
【課題を解決するための手段】
【０００４】
本発明の一実施形態によれば、エレベータかごに閉じ込められた乗客を検出する方法が提供される。方法は、エレベータの何らかの障害が検出されたときにエレベータかごの内部の音を収集することと、音のレベルを閾値レベルと比較することと、音のレベルが閾値レベルを超えるときに、エレベータかごに閉じ込められた乗客がいると判定することとを含む。
【０００５】
本発明の別の実施形態によれば、方法は、音のレベルが閾値レベルを超えるときに、ヘルプデスクに自動的に電話をかけることを更に含む。
【０００６】
本発明の更にもう一つの実施形態によれば、方法は、エレベータかごの内部の写真を撮って、ヘルプデスクに画像を出力することを更に含む。
【０００７】
本発明の別の実施例によれば、エレベータシステムが提供される。エレベータシステムは、エレベータかごの移動を制御しエレベータの障害を検出するエレベータコントローラと、エレベータかごとエレベータから遠隔にあるヘルプデスクの間の通信ネットワークを提供し、エレベータコントローラからの障害信号出力を受信する警報ユニットと、エレベータかごの内部の音を収集する解析ユニットとを備える。解析ユニットは、音のレベルを閾値レベルと比較して、警報ユニットに結果を出力する。
【０００８】
本発明の他の実施例によれば、音のレベルが閾値レベルを超えるときに、解析ユニットはヘルプデスクに自動的に電話をかける。
【０００９】
本発明の別の実施例によれば、システムはエレベータかごの内部に設けられるカメラを更に含み、音のレベルが閾値レベルを超えるときに、カメラはエレベータかごの内部の写真を撮る。
【００１０】
本発明の更にもう一つの実施形態によれば、システムは、エレベータかごの内部の音が収集されるインターホンを更に含む。
【００１１】
添付の図面にて図示したように、前述及び他の、本発明の目的、特徴及び利点は、その例示的実施形態の以下の詳細な説明を鑑みてより明らかになる。
【図面の簡単な説明】
【００１２】
【図１】本発明の一実施例によるエレベータかごの選択された部分を示す。
【図２】本発明の一実施例による音トリガー警報システムを示す。
【図３】本発明の一実施例によるエレベータかごに閉じ込められた乗客を検出するための手順を示すフローチャートである。
【発明を実施するための形態】
【００１３】
エレベータシステムは、エレベータサービスを複数の乗降場所に提供する昇降路（図示せず）内を移動可能なエレベータかご１、及びエレベータかご１の移動を制御し、エレベータの障害を検出するエレベータコントローラ２（図２を参照）を含む。エレベータコントローラ２は、昇降路より上に構築される機械室（図示せず）に、配置されている。図１に示すとおり、エレベータかご１は、エレベータかご１の入口に沿って入口を開閉するように構成されるかごドア４を含む。更に、エレベータかご１は、かごドア４の一方の側に位置する壁部分８に設けられるかご操作パネル６を含む。本実施形態において、かご操作パネル６は、上から下へ順に、かご位置表示器１０、インターホン１２、非常用ボタン１４、かごドア開ボタン１６、かごドア閉ボタン１８及び目的階ボタン２０を含む。かご位置表示器１０は、現在位置及びエレベータかご１の方向を示す。かごドア開ボタン１６及びかごドア閉ボタン１８は、それぞれかごドア４を開閉するために用いる。目的階ボタン２０によって、乗客が所望の目的階を選択することができる。
【００１４】
インターホン１２は、乗客が建物から遠隔に位置するヘルプデスク２６（図３を参照）のオペレータと通信することができるスピーカ２２及びマイクロホン２４を含む。非常用ボタン１４は、乗客が困ったとき、例えば、エレベータかご１に閉じ込められたときに、ヘルプデスク２６に警報を送って、インターホン１２を作動させるために用いる。本実施形態において、非常用ボタン１４の位置は、小さな子供のような乗客にとっては高くにありすぎて非常用ボタン１４に届かない。
【００１５】
加えて、エレベータかご１はカメラ２８を備え、それはエレベータかご１の天井３０に配置されており、エレベータかご１の内部及び、いるならば乗客の写真を撮る。カメラ２８は、アナログカメラ、デジタルカメラ、ＴＯＦ（光飛行時間型）カメラまたは赤外光カメラなどでもよい。
【００１６】
図２は、エレベータかご１と連動して用いられる音トリガー警報システム３２を示す。音トリガー警報システム３２は、インターホン１２と、カメラ２８と、警報ユニット３４と、解析ユニット３６とを備える。
【００１７】
警報ユニット３４は、機械室にあって、エレベータかご１とヘルプデスク２６の間に通信ネットワークを提供する。警報ユニット３４は、エレベータコントローラ２に接続しており、エレベータコントローラ２がエレベータシステムの何らかの障害を検出するときにエレベータコントローラ２から送信される、障害信号を受信する。警報ユニット３４はまた、電話線、ＶｏＩＰネットワーク、インターネットなどのネットワーク３８を介してヘルプデスク２６に接続される。警報ユニット３４がコントローラ２から障害信号を受信すると、警報ユニット３４は、警告メッセージを作成し、ネットワーク３８を介してヘルプデスク２６に障害情報を送信する。図２に示さないが、警報ユニット３４はまた、非常用ボタン１４から入力信号を受信する。警報ユニット３４を電源障害の間に用いることができるように、警報ユニット３４はバッテリ４０を備える。
【００１８】
解析ユニット３６は、エレベータかご１の上に配置されて、警報ユニット３４、インターホン１２及びカメラ２８に接続している。解析ユニット３６の電源は、警報ユニット３４がエレベータコントローラ２からの障害信号の受信に従ってそれをオンにするまで、オフのままである。解析ユニット３６は、エレベータかご１の内部の音を収集するように構成され、収集した音を分析する。解析ユニット３６は、収集する所定の時間の間起動して、音を分析する。一実施例において、所定の時間は１分である。乗客の音声を含む音は、マイクロホン２４を介して収集される。収集した音の分析は、収集した音のレベルを閾値レベルと比較することによって実行される。解析ユニット３６は、音のレベルが閾値レベルを超えるときに、警報ユニット３４及びネットワーク３８を介してヘルプデスク２６に自動的に緊急通報を行い、更にカメラ２８にコマンドを出してエレベータかご１の内部の写真を撮る。言い換えれば、インターホン１２及びカメラ２８は、エレベータかご１の内部の所定の音のレベルによって起動する。解析ユニット３６を電源障害の間に用いることができるように、解析ユニット３６はバッテリ４２を備える。
【００１９】
図３は、エレベータかご１に閉じ込められた乗客を検出するための手順を示すフローチャートである。ステップ１００において、エレベータコントローラ２は、エレベータシステムの障害があるか否かを判定する。エレベータコントローラ２がいかなる障害も検出しない場合、フローはステップ１００に戻る。何らかの障害を検出すると、エレベータコントローラ２は、ステップ１０１において警報ユニット３４に障害信号を出力する。障害信号の受信に従って、警報ユニット３４は、警告メッセージを作成し、ステップ１０２においてヘルプデスク２６に障害情報を送信して解析ユニット３６をオンにし、解析ユニット３６がステップ１０３においてエレベータかご１の内部の音を収集し始める。
【００２０】
ステップ１０４において、警報ユニット３４がエレベータシステムの復旧を示す復旧信号をエレベータコントローラ２から受信しているか否かが判定される。警報ユニット３４が復旧信号を受信している場合、警報ユニット３４はステップ１０５において解析ユニット３６をオフにし、そして、フローは終了する。警報ユニット３４が復旧信号を受信していない場合、フローはステップ１０６へ移る。
【００２１】
ステップ１０６において、解析ユニット３６は、収集した音のレベルを閾値レベルと比較する。音のレベルが閾値レベルを超えていない場合、フローはステップ１０７に移り、解析ユニット３６は所定の時間が経過しているかを判定する。所定の時間が経過していなければ、フローはステップ１０４に戻る。それがもしも経過していれば、フローはステップ１０５に戻る。
【００２２】
ステップ１０６において、音のレベルが閾値レベルを超えている場合、解析ユニット３６はステップ１０８においてヘルプデスク２６に緊急通報を自動的に行う。同時に、解析ユニット３６はカメラ２８にコマンドを出して、ステップ１０９においてエレベータかご１の内部の写真を撮り、ステップ１１０において警報ユニット３４及びネットワーク３８を介してヘルプデスク２６に写真画像を出力する。
【００２３】
ステップ１１１において、ヘルプデスク２６のオペレータは、写真画像及び／またはインターホン１２によって送信される音を点検することによって、エレベータかご１に閉じ込められた乗客がいるか否かを判定する。乗客がエレベータかご１に閉じ込められていない場合、フローは終了する。エレベータかご１に閉じ込められた乗客がいる場合、オペレータはステップ１１２において閉じ込められた乗客と話して、必要な手順を実行する。次いで、ステップ１１３において、警報ユニット３４は解析ユニット３６をオフにし、そして、フローは終了する。
【００２４】
本発明の一実施例によれば、閉じ込められた乗客は、非常用ボタン１４を押さずにヘルプデスク２６のオペレータと話すことができる。従って、非常用ボタン１４に届くことができない閉じ込められた乗客であってもヘルプデスク２６に緊急通報をすることができ、このような乗客の存在にオペレータが気付くことができる。
【００２５】
本発明が特に図面にて示したような例示的実施形態に関して図と共に記載されているが、各種の修正が添付の請求の範囲において開示するような本発明の趣旨と範囲から逸脱することなくなされることができるということは、当業者によって認識される。例えば、閉じ込められた乗客は、図面において小さな子供として例示するが、しかしながら、閉じ込められた乗客は、車椅子を使用する人または、犬などのペットでもよい。更に、別の実施形態では、解析ユニット３６は、音のレベルが閾値レベルを超える場合、ヘルプデスク２６に緊急通報をすることができるか、またはカメラ２８にコマンドを出してエレベータかご１の内部の写真を撮ってヘルプデスク２６に画像を出力することができる。
【図１】
2018135216.tif 000003
【図２】
2018135216.tif 000004
【図３】
2018135216.tif 000005